(57)【要約】【課題】良好な採光又は眺望エリア部分をブラインドの上側に構成するため、ブラインドの取り付け高さを昇降自在とし、ブラインドの取り付け高さを任意の位置に選択可能とする。【解決手段】窓の上枠に取り付けるヘッドケース１と、ヘッドケース１の左右下部に垂直で一体構成し、ブラインドを昇降移動可能として窓の左右縦枠に取り付けるガイドフレーム２を構成する。  ヘッドケース１内で回転自在とするシャフト４を同一の中心軸として左右端部寄りに設けるストレート・ベベルギヤからガイドフレーム２内に回転自在で下垂させるシャフト７それぞれのおねじ７’、７”を設けるボルト部と組み合うナット８をヘッド部３の左右端部に備え、シャフト４の回転方向条件で作用するガイドフレーム２内のボルト部とナット８を介し、ヘッド部３がガイドフレーム２間を水平昇降移動可能とする。なお、回転駆動入力は、回転用ギヤ９と駆動ギヤ１０を介し、手動又は電動で行う。【選択図】図１
2006144424.tif 000002
【特許請求の範囲】
【請求項１】
ブラインドの上側に所望とする採光又は眺望エリア部分を構成する手段として、ブラインドの取り付け高さを昇降移動自在とし、ブラインドの取り付け高さを任意の位置に選択可能としたことを特徴とするブラインド高さ選択装置。
【請求項２】
ブラインドの取り付け高さを昇降移動自在とし、その取り付け高さを任意の位置に選択可能とするため、窓の上部横枠に取り付けるヘッドケースと、このヘッドケースの左右端部下部に垂直に一体構成し、左右間で支えるブラインドを昇降移動可能にして窓の左右縦枠に取り付けられる左右のガイドフレームと、左右ガイドフレーム間のブラインドを昇降移動させるためヘッドケースとガイドフレーム内に機能構成される昇降機構と、昇降機構を作動させるための回転駆動機構と、から成ることを特徴とする請求項１記載のブラインド高さ選択装置。
【請求項３】
請求項２の昇降機構が、ヘッドケース内左右端部寄り位置に設けられるストレート・ベベルギヤで、ヘッドケースの長さ方向で回転自在構造のシャフトを同一の中心軸として取り付ける左右の円錐形ギヤとそれぞれに組み合うもう一方の円錐形ギヤから、左右のガイドフレーム内に下垂する中心軸の回転自在とするシャフトに、右ねじと左ねじ又は左ねじと右ねじでそれぞれに一対とするおねじのボルト部分を設け、このボルト部分と組み合うナットをブラインドのヘッド部左右端部に備え、ストレート・ベベルギヤを連結するシャフトの回転方向条件で作用するガイドフレーム内のボルト部分とナットを介し、該ブラインドのヘッド部が左右のガイドフレーム間において円滑な水平昇降移動が行えるように設定されて成ることを特徴とする請求項２記載のブラインド高さ選択装置。
【請求項４】
回転駆動機構が、ヘッドケース内における一方のストレート・ベベルギヤで、中心軸で回転自在のシャフトをガイドフレーム内に下垂させる円錐形ギヤの下側に同軸で一体構成する回転用ギヤと、この回転用ギヤと所要とするギヤ比を構成して回転自在に設けられる駆動ギヤと、駆動ギヤを回転自在に取り付ける駆動シャフトを介して手動で回転駆動の操作ができることを特徴とする請求項２記載のブラインド高さ選択装置。
【請求項５】
回転駆動操作が、手動に代わる回転駆動用の電動装置を設けたことを特徴とする請求項４記載のブラインド高さ選択装置。
【発明の詳細な説明】
【技術分野】
【０００１】
本発明は、ブラインドの取り付け高さを昇降移動自在とし、その取り付け高さを任意の位置に選択可能とするブラインド高さ選択装置に関するものである。
【背景技術】
【０００２】
一般にブラインドは、通常、窓の上部横枠にブラインドのヘッド部を固定装着し、該ヘッド部から垂直方向に並置する多数枚のスラットを必要に応じ操作して開閉し遮蔽や遮光又は採光の用に共している。
また、スラット全体を開閉する構造とは別構造で、周囲の環境で必要により部分的に遮蔽と採光を行うため、垂直方向におけるスラットを各組に分割することで、部分開閉可能とするブラインドも考えられている。
【０００３】
しかし、いずれもブラインドのヘッド部から吊される多数枚のスラットの範囲内で開閉操作されることから、遮蔽又は遮光と採光を共に行うことについては、遮蔽及び遮光はともかく、採光については充分な効果が期待できないという問題点があった。
【特許文献１】実開平７−３８５９０号公報
【発明の開示】
【発明が解決しようとする課題】
【０００４】
解決しようとする課題は、ブラインドにおいて、必要に応じ遮蔽又は遮光と採光を共に行う場合、該ブラインドが機能構成するスラットの開閉操作では、遮蔽又は遮光における効果は別として、採光手段においては効果的な開放が望めず所望とする採光空間部分が確保されないという点である。
【課題を解決するための手段】
【０００５】
本発明は、採光に効果的とする所望の開放空間をブラインドの上側に構成できるようにするため、ブラインドの取り付け高さを昇降移動自在にし、必要に応じ、取り付け高さを任意の位置に選択可能とする手段を採用した。
窓の上部横枠に取り付けるヘッドケースと、このヘッドケースの左右端部下部に垂直に一体構成して窓の左右の縦枠に取り付け、左右の間で支えるブラインドを昇降移動自在可能とする左右のガイドフレームと、を構成する。
ヘッドケース内で回転自在構造のシャフトを同一の中心軸として左右端部寄り位置に構成するストレート・ベベルギヤから左右のガイドフレーム内に回転自在で下垂させるもう一方のそれぞれのシャフトに右ねじと左ねじ又は左ねじと右ねじで一対とするボルト部分を設け、このボルト部分と組み合うナットをブラインドのヘッド部の左右端部に備え、ストレート・ベベルギヤを連結するシャフトの回転方向条件で作用するガイドフレーム内のボルト部分とナットを介し、ブラインドがガイドフレーム間を昇降移動ができるようにする昇降機構と、この昇降機構を作動させるための回転駆動機構を構成したことを最も主要な特徴とする。
【発明の効果】
【０００６】
本発明のブラインド高さ選択装置は、窓に設けるブラインドの取り付け高さを昇降自在とし、必要に応じ、所望とする任意の取り付け高さ位置が選択できることから、窓を部分的に遮蔽又は遮光させるブイラインドの上側に採光は勿論のこと窓本来の眺望可能エリアを任意の範囲で構成できるという大きな利便性がある。
【０００７】
窓の上部横枠に取り付けるヘッドケースと、ヘッドケースの左右端部下部に一体構成で窓の左右縦枠に取り付けられる左右のガイドフレームとを構成し、左右のガイドフレーム間でブラインドを昇降移動自在可能とする昇降機構と昇降機構を作動させる回転駆動機構を、ヘッドケースとガイドフレーム内に設けたことは、ブラインドの上側に妨げるのものもない開放空間エリア部分を構成しブラインドを任意の取り付け高さ位置に昇降移動自在可能とするための機能構成に大いに役立つ。
【０００８】
ヘッドケース内で回転自在とするシャフトを同一の中心軸として左右に設けるストレート・ベベルギヤが、もう一方の中心軸とするシャフトを左右のガイドフレーム内にそれぞれに回転自在で下垂させるシャフトにそれぞれのおねじ７’、７”を設けるボルト部分と組み合うナットをブラインドの左右のヘッド部端部にそれぞれに備え、ストレート・ベベルギヤを連結するシャフトの回転方向条件で作用するガイドフレーム内のボルト部分とナットを介し、ガイドフレーム間をブラインドが円滑に水平昇降移動自在としたことは、ヘッドケースとガイドフレームに構成する昇降機構として機能構造に優れている。
【０００９】
昇降機構を回転駆動させるためシャフトに取り付ける回転用ギヤと組み合う駆動ギヤをヘッケース内外に設け、手動又は電動装置で回転駆動操作可能としたことは利便性に優れている。
【発明を実施するための最良の形態】
【００１０】
採光に効果的とする所望の開放空間エリア部分をブラインドの上側に構成するため、ブラインドの取り付け高さを昇降移動自在とし、取り付け高さを任意の位置に選択可能とする目的を、ブラインドを昇降自在とするヘッドケースとガイドフレームを一体構成で窓枠に取り付け、該ヘッドケースとガイドフレーム内にギヤ、シャフト、ねじ機構からなるシンプルな機能を有する昇降機構と回転駆動機構を備えることで、ブラインド機能を損なうことなく実現した。
【実施例１】
【００１１】
ヘッド部が多数枚のスラットを吊すブラインドにおける本発明の１実施例で、図１はブラインドの昇降移動を可能とし、操作を手動とする主要部の構成を示す全体説明図であって、図２は図１の左側の機能構成を示す説明図、図３は図１の右側における機能構成を示す説明図、図４は図１で使用の状態を示す説明図、図５はブラインドの昇降移動操作を手動に代わる電動装置を用いた説明図である。
【００１２】
本発明の主体は、ブラインドを昇降移動自在とし、取り付け高さを任意の位置に選択可能とする構造機能系の実装方法にあるので、ブラインド自体の構造機能系の説明は省略する。
以下図面に基づいて詳細に説明する。
【００１３】
窓の上部横枠に取り付けるヘッドケース１の左右端部下部に垂直に一体構成して窓の左右の縦枠に取り付け、左右の間で支えるブラインドを昇降移動自在可能とする左右のガイドフレーム２を構成する。
ヘッドケース１内で長さ方向に回転機能を損なうことなく回転自在で設けられるシャフト４を共通の中心軸とし、該ヘッドケース１内の左右端部に設けられる左右の円錐形ギヤ５とそれぞれに組み合う円錐形ギヤ６とで構成されるストレート・ベベルギヤをヘッドケース１内の左右端部位置に設け、左右の円錐形ギヤ６がそれぞれに中心軸とするシャフト７を該ヘッドケース１の底部を貫通させ、それぞれのガイドフレーム２内に回転自在で下垂させている。
また、ヘッドケース１内でシャフト７を中心軸としこのシャフト７を回転させるための回転用ギヤ９が、右側の円錐形ギヤ６の下側に一体に取り付けられている。左側の円錐形ギヤ６の下側には、右側に設けられた回転用ギヤ９と同じ厚さを有するワッシャ９’を取り付けることで、左右に位置するストレート・ベベルギヤにおける所定の回転機能に支障がないようになされている。
なお、左右のガイドフレーム２内に下垂されるそれぞれのシャフト７における軸方向の移動を防止するため、ヘッドケース１底部外側位置のシャフト７部分に軸方向移動防止用のスナップ・ワッシャ１３が該シャフト７の回転機能を妨げることなく取り付けられている。
【００１４】
ヘッドケース１左右端部下部に垂直に一体構成される左右のガイドフレーム２は、下垂されるシャフト７を通してそれぞれに向き合う内側を開放した樋状を有して下部位置にシャフト７の端部と組み合うブッシュ１４を設け、ヘッドケース１の貫通穴と共にガイドフレーム２内におけるシャフト７の回転ぶれが防止できるようになされている。
左側のガイドフレーム２内のシャフト７部分に左ねじ７”のボルト部分を、右側のガイドフレーム２内のシャフト７部分には右ねじ７’のボルト部分を設ける。この左右のボルト部分と組み合うそれぞれのナット８をブラインドのヘッド部３それぞれの左右端部に備えることで、ヘッドケース１内のシャフト４の回転方向条件でそれぞれに回転するシャフト７のボルト部とこれと組み合うナット８を介し、左右ガイドフレーム２間にある該ヘッド部３が円滑に所望とする水平昇降移動自在であるようになされている。
なお、例えば左側のシャフト７のボルト部が右ねじの場合は、右側のシャフト７のボルト部は左ねじとすることで、該ヘッド部３の昇降移動作動が前述同様の効果があるようになされるものである。
【００１５】
回転用ギヤ９と組み合い所要のギヤ比を構成する駆動ギヤ１０がヘッドケース１の外に位置し、ヘッドケース１の右側端外側に構成する上下構造の突出部１５に回転自在に取り付けられる上部に鍔付きの駆動シャフト１１を中心軸とし、上下構造の突出部１５に挟まれる様態で、駆動シャフト１１を介して回転自在とされている。その際、駆動シャフト１１が突出部１５において軸方向の移動を防止するため、突出部１５下側底部位置にある駆動シャフト１１部分に移動防止用のスナップ・ワッシャ１３が駆動ギヤ１０の回転機能を妨げることのないように取り付けられている。
【００１６】
駆動シャフト１１を回転させるためのバー・ハンドル１２が、突出部１５の下側底部から下方に突出する駆動シャフト１１の下端部との連結部にフレキシブル・ジョイント１６を構成することで、バー・ハンドル１２による所定の手動操作を容易なものとしている。
【００１７】
手動に代わる回転入力を行うための電動装置の電動モータ１７が突出部１５の下側横部から下方に突出する駆動シャフト１１を連結し、突出部１５の下部とガイドフレーム２外側寄りに一体に取り付けられている。
電動モータ１７は、駆動ギヤ１０、回転用ギヤ９を介して行うブラインドの昇降移動機能を損なうことのないように、所要とするトルクと低速回転機能を有し、上昇用プッシュ・スイッチ２０と下降用プッシュ・スイッチ２１を備えるコントロール・ボックス１９を接続のコード１８で手元に下げることで、操作ができるようにしている。
【産業上の利用可能性】
【００１８】
必要に応じブラインド取り付けを任意の取り付け高さ位置に選択可能とすることで、ブラインドの有する機能に加え、ブラインドの上側に任意の範囲で良好な採光又は眺望エリア部分の構成を必要とする用途に適用できる。
【図面の簡単な説明】
【００１９】
【図１】本発明装置のヘッドケース１、ガイドフレーム２及びヘッドケース１とガイドフレーム２に設けられてブラインドの昇降移動を行う主要な機能構成を示す部分縦断面図である。（実施例１）
【図２】図１の左側の機能構成と、シャフト４とシャフト７の回転の状態を示す部分縦断面図である。
【図３】図１の右側における機能構成と、シャフト４とシャフト７の回転及びバー・ハンドル１２の回転の状態を示す部分縦断面図である。
【図４】図１でブラインドのヘッド部３における昇降移動の状態を示す説明図である。
【図５】本発明装置において、手動に代わる電動装置で電動モータ１７、コントロール・ボックス１９の各装置を示す説明図である。（実施例２）
【符号の説明】
【００２０】
１  ヘッドケース
２  ガイドフレーム
３  ヘッド部
３’  スラット
４、７  シャフト
５、６  円錐形ギヤ
７’  右ねじ
７”  左ねじ
８  ナット
９  回転用ギヤ
９’  ワッシャ
１０  駆動ギヤ
１１  駆動シャフト
１２  バー・ハンドル
１３  スナップ・ワッシャ
１４  ブッシュ
１５  突出部
１６  フレキシブル・ジョイント部
１７  電動モータ
１８  コード
１９  コントロール・ボックス
２０  上昇用プッシュ・スイッチ
２１  下降用プッシュ・スイッチ
【図１】
2006144424.tif 000003
【図２】
2006144424.tif 000004
【図３】
2006144424.tif 000005
【図４】
2006144424.tif 000006
【図５】
2006144424.tif 000007